(57)【要約】      （修正有）【課題】保温と香りを加えることができる電気炊飯器を提供する。【解決手段】高さが異なる水位の一つの第一出水孔と一つの第二出水孔を含み、貯水装置１１０は電気炊飯器１００がご飯を炊くときに必要な水を保存するのに使え、一つの分岐したパイプは、一つの第一分岐と一つの第二分岐を含み、その分岐パイプは電気炊飯器本体１００の注水孔に接続して、第一分岐は貯水装置１１０の第一出水孔に接続して、第二分岐は貯水装置の第二出水孔に接続して、その分岐パイプは更に一つの第一バルブを含み、第一分岐を開けるか、あるいは閉じるのに使え、開けたとき、第一分岐は水が貯水装置から第一出水孔、第一バルブおよび注水孔を経て、電気炊飯器本体内に流れ込み、一つの第二バルブは、第二分岐を開けるか、あるいは閉じるのに使い、開けたとき第二分岐は水が貯水装置から第二出水孔、第二バルブおよび注水孔を経て電気炊飯器本体内に流れ込む。【選択図】図１
0003147445.tif 000002
【実用新案登録請求の範囲】
【請求項１】
保温して香気を添加する電気炊飯器であって、前記構造は、
外釜、内釜、フタ及び注水孔からなる電気炊飯器本体と、
水位の高低が異なる第一出水孔と第二出水孔を含み、電気炊飯器で炊飯する際に必要な水を貯蔵するための貯水装置と、
第一分枝と第二分枝を含み、前記電気炊飯器本体の前記注水孔と接続して、前記第一分枝が前記貯水装置の前記第一出水孔に接続し、前記第二分枝が前記貯水装置の前記第二出水孔に接続する分岐パイプとからなり、前記分岐パイプはさらに、
前記第一分枝を開閉するための第一バルブであって、開栓時には前記第一分枝によって水が前記貯水装置から第一出水孔、前記第一バルブ及び前記注水孔を経由して前記電気炊飯器本体内に流入するものと、
前記第二分枝を開閉するための第二バルブであって、開栓時には前記第二分枝によって水が前記貯水装置から第二出水孔、前記第二バルブ及び前記注水孔を経由して前記電気炊飯器本体内に流入するものと、
前記第一バルブ及び前記第二バルブの開閉を制御するための制御モジュールとからなることを特徴とする保温して香気を添加する電気炊飯器。
【請求項２】
前記第二バルブは電磁バルブであることを特徴とする請求項１に記載する保温して香気を添加する電気炊飯器。
【請求項３】
前記貯水装置は香料エッセンスを前記貯水装置に加えることによって炊き上がった米飯の風味を増すことを特徴とする請求項１に記載する保温して香気を添加する電気炊飯器。
【考案の詳細な説明】
【技術分野】
【０００１】
本考案は一種の電気炊飯器の構造に関係し、さらに特定して言えば、一種の設定できる自動コントロールによって、加熱、保温および保温して香気を添加する電気炊飯器である。
【背景技術】
【０００２】
電気炊飯器は人々が日常生活の中でご飯を炊いたり、食物を加熱したりするのに必須の装置である。現在市販されている一般の電気炊飯器は、ご飯を炊いた後保温機能があるが、保温過程のあいだに水分が絶えず蒸発して、保温が長ければ長いほど水分が失われ、最後に電気炊飯器に入れておいたご飯はますます固くなるので、蒸気保温機能の電気炊飯器が、保温過程の間に上述の問題を避け、人々が炊いたご飯を保温するとき、やわらかいご飯を食べられるようにすることが必要である。
【考案の開示】
【考案が解決しようとする課題】
【０００３】
本考案の一例は一種の保温と保温して香気を添加する電気炊飯器を提供する。
【課題を解決するための手段】
【０００４】
その構造は一つの本体を含み、一つの外鍋、一つの内鍋、一つの鍋ぶたおよび一つの注水孔、一つの貯水装置を含み、高さが異なる水位の一つの第一出水孔と一つの第二出水孔を含み、その貯水装置は電気炊飯器がご飯を炊くときに必要な水を保存するのに使え、一つの分岐したパイプは、一つの第一分岐と一つの第二分岐を含み、その分岐パイプは電気炊飯器本体の注水孔に接続して、第一分岐は貯水装置の第一出水孔に接続して、第二分岐は貯水装置の第二出水孔に接続して、その分岐パイプは更に一つの第一バルブを含み、第一分岐を開けるか、あるいは閉じるのに使え、開けたとき、第一分岐は水が貯水装置から第一出水孔、第一バルブおよび注水孔を経て、電気炊飯器本体内に流れ込み、一つの第二バルブは、第二分岐を開けるか、あるいは閉じるのに使い、開けたとき第二分岐は水が貯水装置から第二出水孔、第二バルブおよび注水孔を経て電気炊飯器本体内に流れ込み、一つのコントロールモジュールは、第一バルブと第二バルブを開く、あるいは閉じるのをコントロールするのに使う。
【０００５】
本考案のその他特徴と長所は一部を以下の描写の中で陳述し、部分的に説明してわかりやすく、あるいは本考案の実施方式を習得することができる。このほか、本考案の特徴と長所を付属申請特許範囲の中から、特別に指摘する部品および組み合わせによって、実現、獲得する。
【０００６】
理解しなければならないのは、前述の例描写およびその後の実施方式は例示性で、上の需要を説明するだけで、本考案が主張する申請特許範囲に制限を加えない。
【考案の効果】
【０００７】
本考案は上述した構成により、保温と香りを加えることができる電気炊飯器を達成する。
【考案を実施するための最良の形態】
【０００８】
〔実施例〕
本考案の例を細かく参考にして、例が付属図式の中で説明する。できるだけ、すべての図式の中で同じ参考番号が同じあるいは類似の部分を指す。
【０００９】
〔第１図〕
図１を参考にすると、図１は本考案の一つの例保温と香りを加える電気炊飯器100のイメージ図である。
【００１０】
保温と香りを加える電気炊飯器100の外観は一つの外鍋、一つの内鍋（図１に図示されていない）、一つの鍋ぶた104、一つの取っ手106、一つの分岐パイプ108、一つの貯水装置110および一つのコントロールモジュール112を含む。そのうち分岐パイプ108は、一つの第一分岐（番号がない）、一つの第二分岐（番号がない）、一つの電磁バルブ108bおよび一つの逆流防止バルブ（図１に図示されていない）を含むことができる。コントロールモジュール112は、一つの加熱ボタン112a、一つの保温ボタン112bおよび一つの計時設定ボタン112cを含むことができる。電気炊飯器本体は一つの注水孔（番号なし）を含む。貯水装置112は電気炊飯器がご飯を炊くときに使用する水を保存することができ、水位が違う一つの第一出水孔(番号がない)と一つの第二出水孔(番号がない)を含む。ひとつの例の中で、使用者がご飯を炊くとき、貯水装置112の中に香料を加え、炊いたご飯の風味を変え、あるいは加えることができる。一つの例の中で、その香料は果汁、香りを生む物質、あるいは芳香剤を含んでもよい。例を挙げれば、ラベンダーの香りの香料を貯水装置112の水の中に入れて、ラベンダー風味のご飯を炊くことができる。
【００１１】
分岐パイプ108は電気炊飯器本体の注水孔に接続でき、第一分岐は貯水装置110の第一出水孔に接続でき、第二分岐は貯水装置110の第二出水孔に接続できる。逆流防止バルブは第一分岐を開く、あるいは閉じることができ、開いたときに第一分岐は水が貯水装置110から第一出水孔、逆流防止バルブおよび注水孔を経て、電気炊飯器本体内に流れ込むことを許可する。電磁バルブ108bは第二分岐を開く、あるいは閉じることができ、開いたときに第二分岐は水が貯水装置110から第二出水孔、電磁バルブおよび注水孔を経て、電気炊飯器本体内に流れ込むことを許可する。コントロールモジュール112は逆流防止バルブと電磁バルブ108bを開く、あるいは閉じるのに使える。
【００１２】
〔図２〕
図２を参考にすると、図２は本考案のもう一つの例蒸気保温電気炊飯器の構造の分岐パイプ108の断面図である。そのうち一つの逆流防止バルブ108aは水が逆流防止バルブ108bの第一側(右側)から、第二側（左側）に流れるのを許可して、第一側をふさぐ関係で水あるいは蒸気が第二側から第一側へ流れ込むのを阻止することができる。電磁バルブ108bはコントロールモジュール112によって、リードスイッチ108b-1でバルブ108b-2を開くことができる。
【００１３】
コントロールモジュール112はさらに一つの計時装置を含み、逆流防止バルブ108aを開いた後、計時装置が一つの予定時間を計り始め、予定時間が終わったとき、コントロールモジュール112が電磁バルブ108bを開く。もう一つの例の中で、予定時間が終わったとき、コントロールモジュール112が逆流防止バルブ108aを閉じます。その他、計時装置は予定時間を設定することができる。
【００１４】
〔図３〕
図３を参考にすると、図３は本説明のもう一つの例蒸気保温電気炊飯器の構造100加熱時の操作イメージ図だ。加熱ボタン112aを押して加熱するとき、水は分岐パイプ108の第一分岐から逆流防止バルブ108aを通って鍋の中に流れ込み、一つの内鍋116がご飯114を炊く。
【００１５】
〔図４〕
図４を参考にすると、図４は本考案のもう一つの例蒸気保温電気炊飯器の構造100保温時の操作イメージ図だ。保温ボタン112を押して保温するとき、水は分岐パイプ108の第二分岐から電磁バルブ108bを経て鍋の中に流れ込み、蒸気を発生させて保温過程でご飯114が水分が失われることで硬くならないようにする。もうひとつの例の中で、加熱と保温過程の切り替えは計時装置で設定でき、ご飯を予定時間加熱して炊いた後、自動的に保温状態に入る。図５を参考にすると、図５は本考案のその他例保温と香りを加えることができる電気炊飯器100が上記逆流防止を達成する操作イメージ図だ。逆流防止バルブ108aは右側から左側への水流だけを許可して、逆向きの水流あるいは蒸気が貯水装置110へ流れるのを許可しない。
【００１６】
専門家は、本考案の広い発明概念を離れない状況下で上述の例に対して変更できることをわかっているはずだ。だから、本考案は示した特定例に限らず、付属申請特許範囲が境界を定めた本考案の精神および範疇内で行う修正をカバーしたいと思う。
【００１７】
その他、本考案の代表性例の過程の中で、説明書は本考案の方法および/あるいは過程が特定の手順序列を表示する。しかし、方法あるいは過程はここに提出する特定手順の状況下に依頼せず、方法あるいは過程は本文で描写する特定手順序列に限られるべきではない。専門家は、その他の手順序列は実行可能だとわかるはずだ。だから、説明書の中で述べた特定手順順序は、申請特許範囲の制限と解読されるべきではない。その他、本考案の方法および/あるいは過程の申請について、特許範囲は記載順序の手順を実行することに限られるべきではなく、専門家は順序は変化でき、本考案の精神および範疇の中にあると簡単に理解できるはずだ。
【００１８】
付属例示性図式と結びつけて閲覧を行い、さらに前文で述べた本考案の〔発明内容〕および以下の〔実施方式〕を理解する。本考案の目的を説明する目的を達成するために、図式の中で現在比較的よい実施例を展示する。しかし理解しなければならないのは、本考案は示した精確な配置及び手段に限られないことだ。
【図面の簡単な説明】
【００１９】
【図１】図１は本考案の一つの例、保温と香りを加えることができる電気炊飯器の外観イメージ図です。
【図２】図２は、本考案のもうひとつの例、保温と香りを加えることができる電気炊飯器の分岐パイプの断面図です。
【図３】図３は本考案のもうひとつの例、保温と香りを加えることができる電気炊飯器加熱時の操作イメージ図です。
【図４】図４は本考案のもう一つの例、保温と香りを加えることができる電気炊飯器保温時の操作イメージ図です。
【図５】図５は本考案のその他の例、保温と香りを加えることができる電気炊飯器が蒸気逆流防止の操作を達成するイメージ図です。
【符号の説明】
【００２０】
100    保温と香りを加えることができる電気炊飯器
102    外鍋
104    鍋ぶた
106    取っ手
108    分岐パイプ
108a   逆流防止バルブ
108b   電磁バルブ
110    貯水装置
112    コントロールモジュール
112a   加熱ボタン
112b   保温ボタン
112c   計時設定ボタン
【図１】
0003147445.tif 000003
【図２】
0003147445.tif 000004
【図３】
0003147445.tif 000005
【図４】
0003147445.tif 000006
【図５】
0003147445.tif 000007